(57)【要約】【課題】使用者の前方視界を良好にするとともに、装着時に生ずるテンプル部の変形が画像表示ユニットの配置位置に影響することを抑制する。【解決手段】眼鏡型のフレーム１０は、フロント２０と、ヨロイ部３０Ａ、３０Ｂと、テンプル部４０Ａ、４０Ｂとを有し、延出部材５１Ａがテンプル本体４２Ａの取付部分４５Ａから前方に延びている。保持機構５０の取付具６０は、画像表示ユニット１００に取り外し可能に取り付けられる。取付具６０は、上方部分に取付孔部６５と、フレーム側係止片６７とを有する。延出部材５１Ａの前端部が取付孔部６５に嵌入し、フレーム側係止片６７が延出部材５１Ａの切欠溝５２Ａに嵌合する。【選択図】図１８
2010231119.tif 000002
【特許請求の範囲】
【請求項１】
使用者の眼前において左右方向に延びて使用者の鼻に装着されるフロント部と、そのフロント部の左右両側端の少なくとも一方の側端に固定され、その一方の側端から後方に延びるヨロイ部と、上下方向の軸線を中心に回動可能に前記ヨロイ部に取り付けられる取付部分を有し、使用者の耳に装着されるように前記取付部分から後方に延びるテンプル部とを含むフレームと、
使用者に画像を表示するために画像光を発生する光学系を内蔵する画像表示ユニットと、
前記テンプル部の取付部分から前方に延びる延出部材と、
前記前記画像表示ユニットを前記延出部材に取り外し可能に保持する保持機構とを備えた眼鏡型の画像表示装置。
【請求項２】
前記保持機構は、前記画像表示ユニットを前記延出部材に取り付けるための取付具を備え、
前記取付具は、
前記画像表示ユニットの所定位置に取り付けられるユニット側取付部と、
前記延出部材と嵌合可能なフレーム側取付部とを有する請求項１に記載の眼鏡型の画像表示装置。
【請求項３】
前記フレーム側取付部は、前記延出部材の前端部が嵌入可能で、前後方向に延びる取付凹部を有する請求項２に記載の眼鏡型の画像表示装置。
【請求項４】
前記ヨロイ部の前方部分は、前記延出部材に向かって突出して形成され、
前記延出部材の前端部が前記取付凹部に嵌入した状態で前記テンプル部が使用者の耳に装着されたときに、前記ヨロイ部の前方部分は、前記フレーム側取付部の前方への移動を規制する請求項３に記載の眼鏡型の画像表示装置。
【請求項５】
前記フレーム側取付部は、前記延出部材の一側面と係合可能な第１の弾性係止片を有する請求項２から請求項４のいずれかに記載の眼鏡型の画像表示装置。
【請求項６】
前記ユニット側取付部は、前記画像表示ユニットに取り外し可能に取り付けられる請求項２から請求項５のいずれかに記載の眼鏡型の画像表示装置。
【請求項７】
前記ユニット側取付部は、
前記画像表示ユニットの一部またはそのユニットに取り付けられた部材が嵌合可能な嵌合溝と、
前記嵌合溝に嵌合した前記画像表示ユニットの一部またはそのユニットに取り付けられた部材と係合可能な第２の弾性係止片とを有する請求項６に記載の眼鏡型の画像表示装置。
【請求項８】
前記画像表示ユニットが前記保持機構により前記延出部材に保持された状態で前記テンプル部が使用者の耳に装着されたときに、前記画像表示ユニットは、前記延出部材が延びる前後方向と前記テンプル部の回動軸線の方向とにそれぞれ垂直な調整軸線の回りに角度位置が調整可能であるように前記ユニット側取付部に取り付けられる請求項２から請求項７のいずれかに記載の眼鏡型の画像表示装置。
【請求項９】
前記フレームは、前記フロント部の左右両側に固定される一対の前記ヨロイ部と、両ヨロイ部に取り付けられる一対の前記テンプル部とを含み、
前記延出部材は、前記両テンプル部にそれぞれ設けられ、
前記フレーム側取付部は、前後方向に貫通する孔部からなる取付凹部を有し、
前記画像表示ユニットは、前記調整軸線の回りに少なくとも１８０度回動可能に前記ユニット側取付部に取り付けられる請求項８に記載の眼鏡型の画像表示装置。
【請求項１０】
前記フロント部およびヨロイ部は、前記テンプル部より、前記回動軸線の回りに作用する曲げモーメントにより生ずる変形が小さくなるように、大きな剛性を有する請求項１から請求項９のいずれかに記載の眼鏡型の画像表示装置。
【請求項１１】
前記画像表示ユニットは、画像を表示するために外部装置から接続ラインを介して信号を受け取るように構成され、
前記テンプル部は、前記接続ラインを保持するライン保持部材が摺動可能な摺動溝を有し、
前記摺動溝は、前記テンプル部に沿って前後方向に延び、前方に向かって開放する請求項１から請求項１０のいずれかに記載の眼鏡型の画像表示装置。
【請求項１２】
前記テンプル部は、前記摺動溝の後方を閉鎖する閉鎖部を有し、
前記ライン保持部材は、前記閉鎖部と係合可能な第３の弾性係止片を有する請求項１１に記載の眼鏡型の画像表示装置。
【請求項１３】
前記ライン保持部材は、前記テンプル部の一方の側面と接触する接触面と、その接触面から突出して前記摺動溝に嵌合可能な嵌合部とを有し、
前記第３の弾性係止片は、前記嵌合部が前記摺動溝に嵌合したときに、前記嵌合部から突出して前記テンプル部の他方の側面上に位置し、前記摺動溝に平行に後方に延びる請求項１２に記載の眼鏡型の画像表示装置。
【請求項１４】
前記画像表示ユニットは、前記延出部材の下方に位置するように前記保持機構により保持され、
前記テンプル部は、
前記延出部材から後方に延びるテンプル本体と、
前記テンプル本体の後方部分に固定され、前記テンプル本体の下方においてテンプル本体に沿って前方に延びる補助案内体とを有し、
前記摺動溝は、前記テンプル本体と前記補助案内体との間に形成される請求項１１から請求項１３のいずれかに記載の眼鏡型の画像表示装置。
【発明の詳細な説明】
【技術分野】
【０００１】
本発明は、使用者の眼前に位置するフロント部と、そのフロント部の側端に連結されて使用者の耳に装着されるテンプル部と有するフレームに、画像表示ユニットが取り付けられる眼鏡型の画像表示装置に関し、詳細には、テンプル部の前端部分に、画像表示ユニットが取り外し可能に取り付けられる眼鏡型の画像表示装置に関する。
【背景技術】
【０００２】
近年、ゲーム機や携帯情報端末機器のための携帯型の画像表示装置として、種々のヘッドマウントディスプレイが商品化されている。ヘッドマウントディスプレイの一種として、眼鏡型の画像表示装置が、特許文献１に開示されている。特許文献１に開示された画像表示装置においては、ディスプレイユニットが、使用者の眼に合うように眼鏡フレームの前方において左右方向に位置調整できるように、眼鏡フレームに取り付けられている。具体的には、永久磁石が埋設されたアダプタ部材が、眼鏡フレームのレンズ枠となる左右のリムの上縁に着脱自在に設けられている。レールフレームがアダプタ部材上に磁力により吸着され、保持シャフトがレールフレーム上を移動できるように取り付けられている。ディスプレイユニットは、そのユニットの外周を囲むホールドリングを、ナットにより保持シャフトに取り付けることで、眼鏡フレームに保持されている。
【０００３】
また、特許文献２には、異なる構成の眼鏡型の画像表示装置が開示されている。特許文献２に開示された画像表示装置においては、ディスプレイデバイスを収納するハウジングアッセンブリーが、装着具およびクランプからなるクランプアッセンブリーにより、眼鏡フレームのテンプルに保持されている。具体的には、ハウジングアッセンブリーに取り付けられた装着具から突出する一対のピン状のクランプをテンプルの外側部からテンプルに貫通させることで、ハウジングアッセンブリーは、眼鏡レンズを保持するフロントとテンプルとの連結部分から離れた後方位置で、テンプルに保持されている。
【０００４】
さらに、特許文献３には、特許文献２に開示された装置と類似した構成を有する眼鏡型の画像表示装置が開示されている。特許文献３に開示された画像表示装置においては、眼鏡フレームが、眼鏡レンズを保持するフロントと、フロントの両側に固定された一対のヨロイと、両ヨロイに枢支された一対のテンプルとから構成されている。クリップ形状の装着手段が、アームを有し、一方のテンプルに取り外し可能に取り付けられている。表示スクリーンを有する表示手段が、アームの先端部に取り付けられている。
【先行技術文献】
【特許文献】
【０００５】
【特許文献１】特開２００７−１４８１３１号公報
【特許文献２】特表２００１−５２２０６４号公報
【特許文献３】米国特許第４８６９５７５号明細書
【発明の概要】
【発明が解決しようとする課題】
【０００６】
しかしながら、特許文献１に開示された眼鏡型の画像表示装置においては、ディスプレイユニットが、眼鏡フレームの左右のリムの上縁から下方に延びる保持シャフトなどの保持手段により保持されている。使用者がディスプレイユニットの表示画面から眼鏡フレームの前方にある書類や大型の表示画面へ視線を移したときに、保持シャフトなどの保持手段が、使用者の前方視界を遮ることになり、特許文献１に開示された装置は、使用者の前方視界を遮る点で問題があった。また、特許文献２に開示された眼鏡型の画像表示装置においては、ディスプレイデバイスを収納するハウジングアッセンブリーが、フロントとテンプルとの連結部分から離れた後方位置で、テンプルに保持されている。同様に、特許文献３に開示された眼鏡型の画像表示装置においても、表示手段を支持する装着手段が、ヨロイに対するテンプルの枢支位置から離れた後方位置で、テンプルに保持されている。一般に、使用者が眼鏡フレームを装着するとき、テンプルは、使用者の頭部の形状や大きさに応じて大きく変形することから、ディスプレイデバイスなどの表示手段の表示位置も、テンプルの変形に応じて比較的大きく変化することになる。特許文献２および特許文献３に開示された装置は、テンプルの変形に応じて表示手段の表示位置を調整する必要があり、この点で問題があった。
【０００７】
そこで、本発明は、使用者の前方視界を良好にするとともに、装着時に生ずるテンプル部の変形が画像表示ユニットの配置位置に影響することを抑制することができる眼鏡型の画像表示装置を提供することを目的とする。
【課題を解決するための手段】
【０００８】
上記目的を達成するために、請求項１に記載に記載された発明態様は、使用者の眼前において左右方向に延びて使用者の鼻に装着されるフロント部と、そのフロント部の左右両側端の少なくとも一方の側端に固定され、その一方の側端から後方に延びるヨロイ部と、上下方向の軸線を中心に回動可能に前記ヨロイ部に取り付けられる取付部分を有し、使用者の耳に装着されるように前記取付部分から後方に延びるテンプル部とを含むフレームと、使用者に画像を表示するために画像光を発生する光学系を内蔵する画像表示ユニットと、前記テンプル部の取付部分から前方に延びる延出部材と、前記前記画像表示ユニットを前記延出部材に取り外し可能に保持する保持機構とを備えた構成である。
【０００９】
本発明態様では、ヨロイ部はフロント部の一方の側端にのみ固定され、一方のテンプル部がそのヨロイ部に取り付けられ、他方のテンプル部はフロント部の他方の側端に直接に取り付けられてもよい。また、ヨロイ部がフロント部の左右両側端にそれぞれ固定されてもよい。
【００１０】
本発明態様では、画像表示ユニットは、使用者に対して画像を表示するものであれば、いかなる形式のものでもよい。たとえば、使用者の網膜上に画像光を投影する網膜走査型ディスプレイ、または液晶表示画面を有する液晶型ディスプレイであってもよい。また、画像光を発生する光学系は、画像表示ユニットから画像光を発生させるためにレンズおよびミラーなどを含むものであり、光源を備える形式のものも、外部装置の光源から光ファイバを介して光が伝達される形式のものも含む。
【００１１】
本発明態様では、延出部材は、テンプル部の取付部分から前方に延びる前方延出部分を有するものであれば良い。たとえば、延出部材が、上記前方延出部分と、その前方延出部分に連結されて後方に延びる後方延出部分とを有し、画像表示ユニットが上記後方延出部分に保持される構成であっても良い。
【００１２】
本発明態様では、保持機構は、画像表示ユニットおよび延出部材を破損することなく、延出部材に対して画像表示ユニットを取り付けたり、または取り外したりできる構成であり、また延出部材に対して画像表示ユニットの取付位置を保持できる機能を有するものであればよい。
【００１３】
請求項２に記載の具体的態様は、前記保持機構が、前記画像表示ユニットを前記延出部材に取り付けるための取付具を備え、前記取付具が、前記画像表示ユニットの所定位置に取り付けられるユニット側取付部と、前記延出部材と嵌合可能なフレーム側取付部とを有する構成である。
【００１４】
本具体的態様では、フレーム側取付部が、前後方向から延出部材に嵌合する構成に限定されず、たとえば、フレーム側取付部が、上下方向または左右方向から延出部材に嵌合する構成であっても良い。
【００１５】
請求項３に記載の具体的態様は、前記フレーム側取付部が、前記延出部材の前端部が嵌入可能で、前後方向に延びる取付凹部を有する構成である。
【００１６】
本具体的態様では、取付凹部が、前後方向に貫通する構成に限定されず、たとえば、取付凹部が、延出部材の前端部が嵌入できるように後方のみに開放する嵌合溝であっても良い。
【００１７】
請求項４に記載の具体的態様は、前記ヨロイ部の前方部分が、前記延出部材に向かって突出して形成され、前記延出部材の前端部が前記取付凹部に嵌入した状態で前記テンプル部が使用者の耳に装着されたときに、前記ヨロイ部の前方部分が、前記フレーム側取付部の前方への移動を規制する構成である。
【００１８】
本具体的態様では、延出部材の前端部が取付凹部に嵌入した状態でテンプル部が使用者の耳に装着されたときに、ヨロイ部の前方部分が、フレーム側取付部の一部に常に接触して規制する構成に限定されない。たとえば、フレーム側取付部が許容範囲を超えて前方に移動したときに、ヨロイ部の前方部分が、フレーム側取付部に接触して移動を規制する構成であっても良い。
【００１９】
請求項５に記載の具体的態様は、前記フレーム側取付部が、前記延出部材の一側面と係合可能な第１の弾性係止片を有する構成である。
【００２０】
本具体的態様では、第１の弾性係止片と係合可能な延出部材は、一側面上に、切欠部を有する構成でも、突起部を有する構成でもいずれであっても良い。
【００２１】
請求項６に記載の具体的態様は、前記ユニット側取付部が、前記画像表示ユニットに取り外し可能に取り付けられる構成である。
【００２２】
本具体的態様では、ユニット側取付部および画像表示ユニットを破壊することなく、ユニット側取付部に対して画像表示ユニットを取り付けたり、または取り外したりできる構成であれば、ユニット側取付部および画像表示ユニットの構成は如何なる構成であっても良い。たとえば、ユニット側取付部および画像表示ユニットの間に、弾性力により係合可能な係合部および被係合部が設けられる構成であっても良い。
【００２３】
請求項７に記載の具体的態様は、前記ユニット側取付部が、前記画像表示ユニットの一部またはそのユニットに取り付けられた部材が嵌合可能な嵌合溝と、前記嵌合溝に嵌合した前記画像表示ユニットの一部またはそのユニットに取り付けられた部材と係合可能な第２の弾性係止片とを有する構成である。
【００２４】
請求項８に記載の具体的態様は、前記画像表示ユニットが前記保持機構により前記延出部材に保持された状態で前記テンプル部が使用者の耳に装着されたときに、前記画像表示ユニットが、前記延出部材が延びる前後方向と前記テンプル部の回動軸線の方向とにそれぞれ垂直な調整軸線の回りに角度位置が調整可能であるように前記ユニット側取付部に取り付けられる構成である。
【００２５】
請求項９に記載の具体的態様は、前記フレームが、前記フロント部の左右両側に固定される一対の前記ヨロイ部と、両ヨロイ部に取り付けられる一対の前記テンプル部とを含み、前記延出部材が、前記両テンプル部にそれぞれ設けられ、前記フレーム側取付部が、前後方向に貫通する孔部からなる取付凹部を有し、前記画像表示ユニットが、前記調整軸線の回りに少なくとも１８０度回動可能に前記ユニット側取付部に取り付けられる構成である。
【００２６】
請求項１０に記載の具体的態様は、前記フロント部およびヨロイ部が、前記テンプル部より、前記軸線の回りに作用する曲げモーメントにより生ずる変形が小さくなるように、大きな剛性を有する構成である。
【００２７】
本具体的態様では、フロント部およびヨロイ部は、テンプル部より、大きな剛性を有すればよい。たとえば、フロント部およびヨロイ部が、テンプル部より、剛性の大きな材料により構成されても良く、または大きな断面積で構成されても良い。
【００２８】
請求項１１に記載の具体的態様は、前記画像表示ユニットが、画像を表示するために外部装置から接続ラインを介して信号を受け取るように構成され、前記テンプル部が、前記接続ラインを保持するライン保持部材が摺動可能な摺動溝を有し、前記摺動溝が、前記テンプル部に沿って前後方向に延び、前方に向かって開放する構成である。
【００２９】
本具体的態様では、接続ラインは、画像表示に必要な信号を伝達するラインであれば、いかなるラインであってもよい。たとえば、接続ラインは、外部装置が光源を内蔵する場合には、３原色のレーザ光などの光信号を伝達する光ファイバであってもよく、画像表示ユニットが光源を内蔵する場合には、３原色の画像信号を伝達する信号ラインであってもよい。また、外部装置は、画像表示ユニットの動作を制御する制御装置でも、画像表示ユニットがその制御装置まで内蔵する構成であれば、外部装置は、画像データなどの信号をインターネットまたは無線通信手段などを介して受信し、接続ラインを通して画像表示ユニットに送信する処理装置であっても良い。
【００３０】
請求項１２に記載の具体的態様は、前記テンプル部が、前記摺動溝の後方を閉鎖する閉鎖部を有し、前記ライン保持部材が、前記閉鎖部と係合可能な第３の弾性係止片を有する構成である。
【００３１】
本具体的態様では、第３の弾性係止片が、摺動溝に平行に延びる構成に限定されず、たとえば、摺動溝と交差する方向に延びて閉鎖部と係合する構成であっても良い。
【００３２】
請求項１３に記載の具体的態様は、前記ライン保持部材が、前記テンプル部の一方の側面と接触する接触面と、その接触面から突出して前記摺動溝に嵌合可能な嵌合部とを有し、前記第３の弾性係止片が、前記嵌合部が前記摺動溝に嵌合したときに、前記嵌合部から突出して前記テンプル部の他方の側面上に位置し、前記摺動溝に平行に後方に延びる構成である。
【００３３】
請求項１４に記載の具体的態様は、前記画像表示ユニットが、前記延出部材の下方に位置するように前記保持機構により保持され、前記テンプル部が、前記延出部材から後方に延びるテンプル本体と、前記テンプル本体の後方部分に固定され、前記テンプル本体の下方においてテンプル本体に沿って前方に延びる補助案内体とを有し、前記摺動溝が、前記テンプル本体と前記補助案内体との間に形成される構成である。
【発明の効果】
【００３４】
請求項１に記載された発明態様は、延出部材に画像表示ユニットを取り外し可能に保持する保持機構を備えている。この結果、保持機構が使用者の前方視界を遮ることが極力抑えられるとともに、使用者が視線を大きく移す必要がない範囲に画像表示ユニットを配置することが可能となる。また、テンプル部は、装着時に使用者の頭部の大きさに応じて大きく変形するが、延出部材は、ヨロイ部に取り付けられるテンプル部の取付部分から前方に位置しており、テンプル部の変形の影響を受け難いことから、画像表示ユニットの配置位置がテンプル部の変形により変化することが抑えられる。この結果、延出部材に取り付けられた画像表示ユニットの表示位置が使用者の眼に対して変動することが抑えられる。
【００３５】
請求項２に記載された具体的態様では、取付具のユニット側取付部が画像表示ユニットに取り付けられ、取付具のフレーム側取付部が延出部材と嵌合することにより、画像表示ユニットが延出部材に保持される。この結果、使用者は、フレーム側取付部と延出部材とを嵌合させるにより、画像表示ユニットを延出部材に簡単に保持することができる。
【００３６】
請求項３に記載された具体的態様では、延出部材の前端部がフレーム側取付部の取付凹部に嵌入することにより、画像表示ユニットが延出部材に保持される。この結果、使用者は、装着前に延出部材がヨロイ部から離れるようにテンプル部を回動させた状態で、取付凹部を延出部材の前端部に嵌合させるにより、画像表示ユニットを延出部材に簡単に保持することができる。
【００３７】
請求項４に記載された具体的態様では、延出部材の前端部が取付凹部に嵌入した状態でテンプル部が使用者の耳に装着されたときに、ヨロイ部の前方部分が、フレーム側取付部の前方への移動を規制する。この結果、テンプル部が使用者の耳に装着されているときに、画像表示ユニットが延出部材から外れることが確実に防止される。
【００３８】
請求項５に記載された具体的態様では、フレーム側取付部の第１の弾性係止片が、延出部材の一側面と係合して画像表示ユニットを延出部材に保持する。この結果、使用者は、フレーム側取付部と延出部材とを嵌合させるにより、画像表示ユニットを延出部材に簡単に取り付けることができ、その取付状態が第１の弾性係止片の弾性力により確実に保持される。
【００３９】
請求項６に記載された具体的態様では、取付具のユニット側取付部が、画像表示ユニットに取り外し可能に取り付けられる。この結果、使用者は、ユニット側取付部に対して画像表示ユニットを着脱することを容易に行うことができ、画像表示ユニットの交換を簡単に行うことができる。
【００４０】
請求項７に記載された具体的態様では、画像表示ユニットの一部またはそのユニットに取り付けられた部材が、ユニット側取付部の嵌合溝に嵌合し、その嵌合した状態が第２の弾性係止片により保持される。この結果、使用者は、画像表示ユニットの一部またはそのユニットに取り付けられた部材と嵌合溝とを嵌合させるにより、画像表示ユニットをユニット側取付部に簡単に取り付けることができ、その取付状態が第２の弾性係止片の弾性力により確実に保持される。
【００４１】
請求項８に記載された具体的態様では、画像表示ユニットの角度位置が、調整軸線の回りに調整可能である。この結果、使用者は、テンプル部を耳に装着した状態で、画像が最も見易い位置に画像表示ユニットの角度位置を調整することができる。
【００４２】
請求項９に記載された具体的態様では、取付凹部が、前後方向に貫通する孔部からなり、画像表示ユニットが、調整軸線の回りに少なくとも１８０度回動可能である。この結果、使用者は、左右両側の延出部材のいずれにも取付凹部を嵌合させることができ、画像表示ユニットの角度位置を１８０度回動させることで、フレームの左右いずれの側にも、画像表示ユニットを取り付けることができる。
【００４３】
請求項１０に記載された具体的態様では、フロント部およびヨロイ部が、テンプル部より、大きな剛性を有する。使用者がテンプル部を耳に装着するときにテンプル部が変形したとしても、フロント部およびヨロイ部は、そのテンプル部の変形の影響を受けることがきわめて少なくなる。この結果、画像表示ユニットは、大きな剛性を有するヨロイ部とテンプル部との取付部分から前方に延びる延出部材に保持されることから、使用者の眼の位置と画像表示ユニットの配置位置との間の位置関係が、テンプル部の変形により変動することなく確実に維持される。
【００４４】
請求項１１に記載された具体的態様では、摺動溝が、テンプル部に沿って前後方向に延び、前方に向かって開放する。ライン保持部材は、摺動溝の開放部から取り付けられ、摺動溝に沿って摺動可能である。この結果、使用者は、ライン保持部材を前方から摺動溝に容易に取り付けることができる。また、使用者が画像表示ユニットを延出部材から外すときに、接続ラインを介して画像表示ユニットに接続されたライン保持部材は、摺動溝に沿って前方に摺動して開放部においては確実に外れることから、使用者は、画像表示ユニットおよびライン保持部材をフレームから容易に取り外すことができる。
【００４５】
請求項１２に記載された具体的態様では、ライン保持部材の第３の弾性係止片は、摺動溝の後方を閉鎖する閉鎖部と係合可能である。この結果、使用者は、第３の弾性係止片を閉鎖部に係合させることにより、テンプル部上でのライン保持部材の位置を確実に保持することができ、画像表示ユニットとライン保持部材との間の接続ラインが適度な緩み状態に維持される。
【００４６】
請求項１３に記載された具体的態様では、ライン保持部材の嵌合部が摺動溝に嵌合したときに、第３の弾性係止片は、嵌合部から突出してテンプル部の他方の側面上に位置し、摺動溝に平行に後方に延びる。この結果、使用者がライン保持部材を摺動溝に沿って摺動させて第３の弾性係止片を閉鎖部の所定位置に係合させるときに、第３の弾性係止片と閉鎖部との摩擦抵抗が第３の弾性係止片の延びる方向と平行に作用することから、第３の弾性係止片はその延びる方向と交差する方向に変形することはなく、使用者は、閉鎖部の所定位置に第３の弾性係止片を円滑に係合させることができる。
【００４７】
請求項１４に記載された具体的態様では、画像表示ユニットは、延出部材の下方に位置するように前記保持機構により保持される。テンプル部は、テンプル本体と、テンプル本体の下方においてテンプル本体と平行に前方に延びる補助案内体とを有する。摺動溝は、テンプル本体と補助案内体との間に形成される。この結果、使用者が画像表示ユニットを延出部材から外すときに、ライン保持部材は、摺動溝に沿って前方に摺動して、摺動溝から下方に向かって外れることから、接続ラインがテンプル本体に引っ掛かることはなく、使用者は画像表示ユニットおよびライン保持部材を支障なく容易に取り外すことができる。
【図面の簡単な説明】
【００４８】
【図１】本発明の実施形態に係るフレーム１０が使用者の頭部に装着された状態を示す斜視図である。
【図２】本実施形態に係る画像表示装置１の全体的構成を示す図面である。
【図３】本実施形態に係る画像表示ユニット１００をフレーム１０から取り外した状態を示す斜視図である。
【図４】画像表示ユニット１００を取り付けたフレーム１０の全体的構成を上方から見た平面図である。
【図５】図４に示すフレーム１０を前方から見た正面図である。
【図６】画像表示ユニット１００を取り外したフレーム１０を左側方から見た左側面図である。
【図７】本実施形態に係るヨロイ部３０Ａと、テンプル本体４２Ａおよび延出部材５１Ａとを分解した状態で拡大して示す部分断面図である。
【図８】本実施形態に係るフロント部２０、ヨロイ部３０Ｂおよびテンプル本体４２Ｂの断面形状を示す断面図である。
【図９】本実施形態に係る取付具６０が画像表示ユニット１００に取り付けられ状態を示す斜視図である。
【図１０】取付具６０の各部分を分解して示す斜視図である。
【図１１】取付具６０の取付具本体６１の詳細な構成を示す図面である。
【図１２】取付具本体６１のフレーム側係止片６７と延出部材５１Ａの切欠溝５２Ａとの嵌合状態を拡大して示す断面図である。
【図１３】取付具６０の上下摺動体６２の詳細な構成を示す図面である。
【図１４】取付具６０の左右摺動枠６３の詳細な構成を示す図面である。
【図１５】取付具６０の回動円形体６４の詳細な構成を示す図面である。
【図１６】本実施形態に係るライン保持クリップ９０のライン側係止片９４と閉鎖部４７Ａの保持溝４８Ａとの嵌合状態を拡大して示す部分断面図である。
【図１７】図１６に示すＩ−Ｉ線に従うライン保持クリップ９０の断面図である。
【図１８】テンプル部４０Ａが反時計方向に回動されて取付具６０および延出部材５１Ａがヨロイ部３０Ａから離間した状態において画像表示ユニット１００が取り付けられる直前の状態を示す説明図である。
【図１９】取付具６０が延出部材５１Ａに取り付けられた直後の状態を示す説明図である。
【図２０】テンプル部４０Ａが時計方向に回動されて取付具６０および延出部材５１Ａがヨロイ部３０Ａに接近した状態を示す説明図である。
【図２１】ライン保持クリップ９０がテンプル本体４２Ａに保持された状態を示す説明図である。
【図２２】取付具６０および延出部材５１Ａがヨロイ部３０Ａに接近した状態において、取付具本体６１とヨロイ部３０Ａとの位置関係を拡大して示す部分断面図である。
【発明を実施するための形態】
【００４９】
[実施形態]
以下、本発明の眼鏡型の画像表示装置を単眼タイプの網膜走査型ディスプレイに適用した一実施形態について、添付図面を参照して説明する。一般には、網膜走査型ディスプレイは、画像信号に従って３原色のレーザ光などの画像光を発生する光束発生装置と、画像光を網膜上に投影するためにガルバノミラーを有する走査装置とを備えており、その構成および動作は特開２００６−２７６６３３号公報などにより公知である。このため、本実施形態では、網膜走査型ディスプレイの内部構成について、その詳細な説明を省略する。
【００５０】
《外観全体構成》
本実施形態に係る網膜走査型ディスプレイ１の外観全体構成について図１および図２を参照して説明する。図１は、眼鏡型のフレーム１０が使用者に装着された状態を示し、図２は、使用者からフレーム１０が取り外された状態を示している。網膜走査型ディスプレイ１は、眼鏡型のフレーム１０と、保持機構５０と、保持機構５０によりフレーム１０に保持される画像表示ユニット１００と、その画像表示ユニット１００に接続ライン１１０を介して接続される外部装置の一例としての制御装置２００とから構成される。なお、本明細書および図面において、上下方向、前後方向および左右方向は、図１に示す使用者を基準として、図１に矢印で示す方向を指す。
【００５１】
〈フレームの構成〉
眼鏡型のフレーム１０の詳細な構成について主に図３ないし図６を参照して説明する。図３は、画像表示ユニット１００が取り外されたフレーム１０を示す斜視図であり、図４は、画像表示ユニット１００を取り付けたフレーム１０を上方から見た平面図であり、図５は、フレーム１０の中央部分のみを前方から見た正面図であり、図６は、画像表示ユニット１００を取り外したフレーム１０の左側部分を示す左側面図である。図３において、フレーム１０は、フロント部２０と、左右一対のヨロイ部３０Ａ、３０Ｂと、左右一対のテンプル部４０Ａ、４０Ｂとを有している。本実施形態のフレーム１０、フロント部２０、ヨロイ部３０Ａ、３０Ｂ、テンプル部４０Ａ、４０Ｂが、本発明のフレーム、フロント部、ヨロイ部、テンプル部の一例であり、画像表示ユニット１００が、本発明の画像表示ユニットの一例である。
【００５２】
（フロント部の構成）
フロント部２０は、図１に示すフレーム１０の装着状態において、使用者の左右方向に延びて形成されている。一対の鼻装着部２１Ａ、２１Ｂが、図４に示すようにフロント部２０の中央部分に固定され、フレーム１０の装着状態において使用者の鼻の上に装着される。保護カバー２２が、フロント部２０の下部に固定され、図１に示すフレーム１０の装着状態において、使用者の左右の眼を覆うように配置される。保護カバー２２は、透明な樹脂フィルムから形成され、画像表示ユニット１００の一部が使用者の眼に触れることを防止している。
【００５３】
（ヨロイ部の構成）
図４に示すように、左右一対のヨロイ部３０Ａ、３０Ｂが、フロント部２０の左右両側端に固定され、左右方向に開くように後方に延びている。両ヨロイ部３０Ａ、３０Ｂは、フロント部２０と一体に形成されている。左右一対のテンプル部４０Ａ、４０Ｂは、上下方向に延びる取付ねじ４１Ａ、４１Ｂにより、両ヨロイ部３０Ａ、３０Ｂの後端に回動可能に取り付けられている。すなわち、両テンプル部４０Ａ、４０Ｂは、取付ねじ４１Ａ、４１Ｂの上下方向に延びる軸線を中心に回動可能である。図３および図４に示すように、両ヨロイ部３０Ａ、３０Ｂの前方部分３１Ａ、３１Ｂは、外側に向かって突出して形成されている。本実施形態の前方部分３１Ａ、３１Ｂは、本発明のヨロイ部の前方部分の一例である。
【００５４】
（テンプル部の構成）
両テンプル部４０Ａ、４０Ｂは、テンプル本体４２Ａ、４２Ｂと、耳装着部分４３Ａ、４３Ｂと、補助案内体４４Ａ、４４Ｂとをそれぞれ有している。テンプル本体４２Ａ、４２Ｂは、ヨロイ部３０Ａ、３０Ｂの後端に回動可能に取り付けられるために取付部分４５Ａ、４５Ｂを備えている。補助案内体４４Ａ、４４Ｂは、テンプル本体４２Ａ、４２Ｂと耳装着部分４３Ａ、４３Ｂとを連結している。両ヨロイ部３０Ａ、３０Ｂおよび両テンプル部４０Ａ、４０Ｂは同じ構成であるので、左側に位置するヨロイ部３０Ａおよびテンプル部４０Ａについてのみ図４、図６および図面７を参照して説明する。
【００５５】
テンプル本体４２Ａは、取付ねじ４１Ａにより、ヨロイ部３０Ａの後端に回動可能に取り付けられ、前後方向に延びている。図６に示すように、補助案内体４４Ａは、テンプル本体４２Ａの後端部に連結され、テンプル本体４２Ａの下方において、テンプル本体４２Ａに沿って前方に延びている。補助案内体４４Ａは、テンプル本体４２Ａから所定の間隔を置いて配置されている。図４に示すように、補助案内体４４Ａの前方部分は、フレーム２０の内側に向かって湾曲しており、その前方部分の先端が外側に屈曲されている。テンプル本体４２Ａと補助案内体４４Ａとの間の間隔は、前方に向かって開放する摺動溝４６Ａを形成する。また、テンプル本体４２Ａと補助案内体４４Ａとを連結する連結部分は、摺動溝４６Ａを閉鎖する閉鎖部４７Ａを構成する。図３に示すように、保持溝４８Ａが、閉鎖部４７Ａの後端部に形成されている。摺動溝４６Ａは、前方に向かって下方に傾斜しており、摺動溝４６Ａの開放部分の上下方向の間隔は、閉鎖部４７Ａに近接する摺動溝４６Ａの上下方向の間隔よりも大きく設定されている。後述するライン保持クリップ９０が、摺動溝４６Ａに沿って摺動可能であり、保持溝４８Ａに嵌合可能に構成されている。本実施形態のテンプル本体４２Ａ、４２Ｂおよび補助案内体４４Ａ、４４Ｂが、本発明のテンプル本体および補助案内体の一例であり、摺動溝４６Ａおよび閉鎖部４７Ａが、本発明の摺動溝および閉鎖部の一例である。
【００５６】
図４に示すように、耳装着部分４３Ａは、補助案内体４４Ａの先端の屈曲部分に固定され、フレーム２０の内側に湾曲して後方に延びている。図６に示すように、耳装着部分４３Ａは、テンプル本体４２Ａよりも下方に位置するように配置されている。耳装着部分４３Ａがテンプル本体４２Ａよりも下方に位置する構成により、使用者が、視力を調整するための眼鏡を常時装着している状態で、本実施形態のフレーム１０を装着する場合、フレーム１０のフロント部２０およびテンプル本体４２Ａは、使用者がすでに装着している眼鏡のフロント部およびテンプル部の上方に位置することから、眼鏡のフロント部およびテンプル部と干渉することなく、使用者はフレーム１０を支障なく装着することができる。
【００５７】
ヨロイ部３０Ａとテンプル部４０Ａとを取り付けるための構成について図７を参照して説明する。図７は、ヨロイ部３０Ａの後端のみを断面にしてテンプル部４０Ａがヨロイ部３０Ａから取り外された状態を拡大して示している。取付部分４５Ａが、テンプル本体４２Ａの右側面から突出して形成され、取付ねじ４１Ａが挿通される挿通孔を有している。取付部分４５Ａは、テンプル本体４２Ａの右側面に垂直な垂直当接平面４５Ａ−１と、その垂直当接平面４５Ａ−１から後方に傾斜する傾斜当接平面４５Ａ−２と、その傾斜当接平面４５Ａ−２に連続して形成される曲面４５Ａ−３とを有する。ヨロイ部３０Ａは、上下方向において取付部分４５Ａを挟持する後端部分３２Ａを有する。後端部分３２Ａは、取付ねじ４１Ａが挿通される挿通孔を有している。後端部分３２Ａは、傾斜当接平面４２Ａ−２と係合可能な傾斜当接平面３２Ａ−１を有する。テンプル部４０Ａが取付ねじ４１Ａの軸線を中心に反時計回りに回動されるときには、傾斜当接平面３２Ａ−１は、曲面４５Ａ−３と干渉せずにテンプル部４０Ａの回動を許容する。テンプル部４０Ａが取付ねじ４１Ａの軸線を中心に時計回りに回動されるときには、傾斜当接平面３２Ａ−１は、傾斜当接平面４５Ａ−２と係合し、図４に示すように画像表示ユニット１００が使用者の眼の前に位置するようにテンプル部４０Ａの回動位置を規制する。
【００５８】
耳装着部分４３Ａ、４３Ｂは、使用者に直接接触する部分を有することから、この直接接触する部分は、使用者がフレーム１０の装着時に違和感をもたないように適度の弾性を有する合成樹脂材料により被覆されている。
【００５９】
（フレームの断面形状）
左右に延びる長手方向と直交するフロント部２０の断面形状は、取付ねじ４１Ａ、４１Ｂの軸線に平行な方向である上下方向の長さ（縦方向の長さ）より前後方向の長さ（横方向の長さ）が大きい形状である。図４のＡ−Ａ線に従うフロント部２０の断面が、図８（Ａ）に示されており、横方向の長さＤＷ１が縦方向の長さＤＬ１より大きく設定されている。前後に延びる長手方向と直交する両ヨロイ部３０Ａ、３０Ｂの断面形状は、左右方向の長さ（横方向の長さ）が上下方向の長さ（縦方向の長さ）より小さいもののフロント部２０の縦方向の長さＤＬ１より充分に大きい形状である。図４のＢ−Ｂ線に従うヨロイ部３０Ｂの断面が、図８（Ｂ）に示されており、横方向の長さＤＷ２がフロント部２０の縦方向の長さＤＬ１より充分に大きく設定されている。これに対して、前後に延びる長手方向と直交する両テンプル本体４２Ａ、４２Ｂの断面形状は、上下方向の長さ（縦方向の長さ）より左右方向の長さ（横方向の長さ）が小さい形状である。図４のＣ−Ｃ線に従うテンプル本体４２Ｂの断面が、図８（Ｃ）に示されており、横方向の長さＤＷ３が、フロント部２０の縦方向の長さＤＬ１とほぼ同じ長さであり、縦方向の長さＤＬ３より小さく設定されている。フロント部２０および両ヨロイ部３０Ａ、３０Ｂは、両テンプル本体４２Ａ、４２Ｂより、横方向の長さが比較的大きく設定されていることから、フレーム１０を装着するときに取付ねじ４１Ａ、４１Ｂの軸線の回りに作用する曲げモーメントにより生ずる変形が小さい。
【００６０】
上記の断面形状における相違に加え、フロント部２０および両ヨロイ部３０Ａ、３０Ｂは、純チタンから構成され、両テンプル本体４２Ａ、４２Ｂは、βチタンから構成されており、これらの部分は構成材料も相違する。純チタンはβチタンよりヤング率（縦弾性係数）が大きいことから、フロント部２０および両ヨロイ部３０Ａ、３０Ｂは、両テンプル本体４２Ａ、４２Ｂより、引張力および圧縮力に対する剛性が大きく、変形し難い。補助案内体４４Ａ、４４Ｂは、テンプル本体４２Ａ、４２Ｂと一体に成形され、βチタンから構成されており、テンプル本体４２Ａ、４２Ｂおよび補助案内体４４Ａ、４４Ｂは、引張力および圧縮力に対する剛性が小さく、変形し易い。
【００６１】
〈保持機構および延出部材の構成〉
左右一対のテンプル部４０Ａ、４０Ｂの中で、使用者が希望する側のテンプル部に装着された画像表示ユニット１００の装着状態を保持するために、保持機構５０が設けられている。本実施形態では、保持機構５０は、画像表示ユニット１００が両テンプル部４０Ａ、４０Ｂのいずれにも取り付けられるように構成されている。保持機構５０は、画像表示ユニット１００に取り付けられる取付具６０から主に構成されている。本実施形態の保持機構５０が、本発明の保持機構の一例であり、取付具６０が、本発明の取付具の一例である。
【００６２】
（延出部材の構成）
左右一対の延出部材５１Ａ、５１Ｂが、テンプル部４０Ａ、４０Ｂに設けられている。両延出部材５１Ａ、５１Ｂは同じ構成であるので、延出部材５１Ａについてのみ説明する。図７に示すように、延出部材５１Ａは、テンプル本体４２Ａの取付部分４５Ａの配置位置から前方に延び、テンプル本体４２Ａと一体に成形されており、βチタンから構成されている。切欠溝５２Ａが、延出部材５１Ａの右側面に形成されている。本実施形態の延出部材５１Ａ、５１Ｂは、本発明の延出部材の一例である。
【００６３】
（取付具の構成）
取付具６０の構成について、主に図９ないし図１５を参照して説明する。図９は、取付具６０が取り付けられた画像表示ユニット１００を後方から見た斜視面である。図１０は、画像表示ユニット１００から取付具６０を取り外した状態において取り付け具６０の各部分を示す分解斜視図である。図１０において、取付具６０は、取付具本体６１と、上下摺動体６２と、左右摺動枠６３と、回動円形体６４とから構成される。取付具本体６１と、上下摺動体６２と、左右摺動枠６３と、回動円形体６４とは、合成樹脂材料によりそれぞれ成形されている。
【００６４】
取付具本体６１は、前後方向に貫通する取付孔部６５を上方部分に有し、上下方向に延びる取付溝６６を下方部分に有する。取付孔部６５は、延出部材５１Ａ、５１Ｂの前端部が嵌入可能に形成され、取付溝６６は、上下摺動体６２が嵌合可能に形成されている。図１１は、上下摺動体６２を取り外した状態において取付具本体６１の詳細な構成を示す図面であり、図１１（Ａ）は、取付具本体６１を左方から見た図面であり、図１１（Ｂ）は、取付具本体６１を前方から見た図面であり、図１１（Ｃ）は、図１１（Ａ）に示すＤ−Ｄ線に従う断面図であり、図１１（Ｄ）は、図１１（Ｂ）に示すＥ−Ｅ線に従う断面図である。
【００６５】
図１１（Ｃ）において、フレーム側係止片６７が、取付具本体６１の上方部分に形成され、その係止片６７の先端部は、取付孔部６５の内部に延びている。ユニット側係止片６８が、取付具本体６１の下方部分に形成され、その係止片６８の先端部は、取付溝６６の内部に延びている。図１２は、延出部材５１Ａが取付孔部６５に嵌入した状態において、図１１（Ｂ）に示すＦ−Ｆ線に従う断面図である。図１２において、フレーム側係止片６７の先端部は、延出部材５１Ａの切欠溝５２Ａに嵌合し、その嵌合状態を弾性力により保持する。フレーム側係止片６７の先端部が切欠溝５２Ａに嵌合したとき、図１２に示す取付具本体６１の後端面は図７に示す取付部分４５Ａの垂直当接平面４５Ａ−１に当接し、この当接により、延出部材５１Ａ上における取付具本体６１の後方への移動が規制される。また、フレーム側係止片６７の先端部が切欠溝５２Ａに嵌合したとき、図７に示すヨロイ部３０Ａの前方部分３１Ａが、図１２に示す取付具本体６１の前端面の前方に突出して位置することから、取付具本体６１が延出部材５１Ａ上を前方に移動して抜け落ちることを防止する。
【００６６】
図１３は、上下摺動体６２の詳細な構成を示しており、図１３（Ａ）は、上下摺動体６２を左方から見た図面であり、図１３（Ｂ）は、上下摺動体６２を前方から見た図面であり、図１３（Ｃ）は、図１３（Ａ）に示す上下摺動体６２の裏面を示す図面であり、図１３（Ｄ）は、図１３（Ａ）に示すＧ−Ｇ線に従う断面図である。図１３において、上下摺動体６２は、矩形の摺動板状部６９と、円形突部７０とを有している。円形突部７０は、摺動板状部６９の一方の側面から突出して形成されている。一対の保持溝７１が、円形突部７０の内部に形成されている。図１３（Ｃ）に示すように、２列の多数の係止溝７２が、摺動板状部６９の他方の側面において上下方向に形成されている。図１０に示すように、上下摺動体６２が取付溝６６に嵌合して装着された状態において、取付具本体６１のユニット側係止片６８は、上下摺動体６２の係止溝７２と弾性力により係合し、取付溝６６に対する上下摺動体６２の係合位置、すなわち上下方向の位置を保持する。突起部７３が、取付具本体６１の下方先端部において、取付溝６６の内部に突出して形成されている。突起部７３は、取付溝６６に嵌合した上下摺動体６２が取付溝６６の下方から抜け落ちるのを防止する。使用者は、上下摺動体６２を取付溝６６から外す場合には、突起部７３が形成された取付具本体６１の先端部を弾性変形させて上下摺動体６２と突起部７３との係合状態を解除する。
【００６７】
本実施形態の取付具本体６１の上方部分が、本発明のフレーム側取付部の一例であり、取付具本体６１の下方部分が、本発明のユニット側取付部の一例である。本実施形態の取付孔部６５が、本発明の取付凹部の一例であり、フレーム側係止片６７が、本発明の第１の弾性係止片の一例である。本実施形態の取付溝６６が、本発明の嵌合溝の一例であり、ユニット側係止片６８が、本発明の第２の弾性係止片の一例である。
【００６８】
図１４は、左右摺動枠６３の詳細な構成を示しており、図１４（Ａ）は、左右摺動枠６３を左方から見た図面であり、図１４（Ｂ）は、左右摺動枠６３を上方から見た図面であり、図１４（Ｃ）は、左右摺動枠６３を後方から見た図面であり、図１４（Ｄ）は、図１４（Ａ）に示すＨ−Ｈ線に従う断面図である。左右摺動枠６３は、上下方向に延びる支持板状部７３と、その支持板状部７３の上下両端部から水平に延びる上方アーム部７４および下方アーム部７５とを有する。支持板状部７３は、円形の嵌合凹部７６と、円形の嵌合孔部７７とを有する。嵌合孔部７７は、嵌合凹部７６の内部に配置され、上下摺動体６２の円形突部７０の外周面と嵌合可能に形成されている。嵌合孔部７７と円形突部７０との嵌合により、左右摺動枠６３は、上下摺動体６２に対して、円形突部７０の中心の回り、すなわち左右方向の軸線の回りに回動位置を変化させることができる。１列の多数の上方係止溝７８が、上方アーム部７４の上面において、左右方向に延びて形成されている。また、１列の多数の下方係止溝７９が、下方アーム部７５の下面において、左右方向に延びて形成されている。図９に示すように、上方アーム部７４および下方アーム部７５は、画像表示ユニット１００の側面に設けられた上方取付孔部１０１および下方取付孔部１０２にそれぞれ嵌入するように形成されている。両アーム部７４、７５が両取付孔部１０１、１０２に嵌入したときに、両係止溝７８、７９は、画像表示ユニット１００の内部に設けられた図示しない上下一対の弾性係止片と弾性力によりそれぞれ係合可能に構成されている。上下一対の弾性係止片は、フレーム側係止片６７およびユニット側係止片６８などと同じ構成のものである。両係止溝７８、７９は、上下一対の弾性係止片との係合により、左右摺動枠６３に対する画像表示ユニット１００の取付位置、すなわち左右方向の位置を保持する。一対の上方突起部８０が、上方アーム部７４の自由端部の前後の角部に設けられ、一対の下方突起部８１が、下方アーム部７５の自由端部の前後の角部に設けられている。両突起部８０、８１は、両取付孔部１０１、１０２に嵌入した両アーム部７４、７５が両取付孔部から抜け落ちるのを防止するために、両取付孔部１０１、１０２の近傍に配置された被係合部材と係合可能である。両アーム部７４、７５を両取付孔部１０１、１０２から外すためには、使用者は、両突起部８０、８１を弾性変形させて両突起部８０、８１と被係合部材との係合状態を解除する。
【００６９】
図１５は、回動円形体６４の詳細な構成を示しており、図１５（Ａ）は、回動円形体６４を左方から見た図面であり、図１５（Ｂ）は、回動円形体６４を上方から見た図面であり、図１５（Ｃ）は、図１５（Ａ）に示す回動円形体６４の裏面を示す図面である。回動円形体６４は、円形板状部８２と、円形板状部８２の一方の側面から突出する一対の保持突起８３とを有する。円形板状部８２は、左右摺動枠６３の円形の嵌合凹部７６の内周面と嵌合可能に形成されている。両保持突起８３は、左右摺動枠６３の嵌合孔部７７を通して、上下摺動体６２の一対の保持溝７１に圧入される。この圧入により、両保持突起８３が形成された円形板状部８２の一方の側面は、左右摺動枠６３の嵌合凹部７６の底面、すなわち図１４図（Ｄ）における嵌合凹部７６の右側面に押圧され、摩擦接触する。この摩擦接触により、左右摺動枠６３は、上下摺動体６２に対して、回動位置を変化させることができるとともに、その回動位置を接触摩擦抵抗により保持することができる。
【００７０】
本実施形態の取付具６０は、取付具本体６１と、上下摺動体６２と、左右摺動枠６３と、回動円形体６４とから構成されることにより、画像表示ユニット１００は、左側の延出部材５１Ａに対して、上下方向の位置および左右方向の位置を調整することができ、また、上下摺動体６２の円形突部７０の中心の回りの回動位置を変化させることができる。すなわち、画像表示ユニット１００は、延出部材５１Ａが延びる前後方向と取付ねじ４１Ａが延びる上下方向とにそれぞれ垂直な軸線であって、円形突部７０の中心線が延びる左右方向の軸線の回りに、角度位置を変化させることができる。そして、画像表示ユニット１００が、角度位置を１８０度変化させることにより、取付具６０は、右側の延出部材５１Ａに対して、取り付けることが可能となる。同様に、画像表示ユニット１００は、右側の延出部材５１Ａに対して、上下方向の位置、左右方向の位置および角度位置を調整することができる。
【００７１】
〈ライン保持クリップの構成〉
接続ライン１１０をテンプル本体４２Ａ、４２Ｂに保持するためのライン保持クリップ９０の構成について図１６および図１７を参照して説明する。図１６は、ライン保持クリップ９０がテンプル本体４２Ａに装着された状態を拡大して示す説明図であり、図１７は、図１６に示すＩ−Ｉ線に従ってライン保持クリップ９０を切断した状態で、テンプル本体４２Ａを拡大して左方から見た側面図である。図２に示すように、画像表示ユニット１００がフレーム１０に取り付けられたときに、画像表示ユニット１００から延びる接続ライン１１０が使用者の顔などに触れることがなく、また接続ライン１１０に過度の張力がかからないように、ライン保持クリップ９０は、画像表示ユニット１００から適度な長さだけ離れた位置で、接続ライン１１０に固定される。図１６において、ライン保持クリップ９０は、前後方向に貫通する保持孔部９１を有しており、接続ライン１１０が保持孔部９１に挿通された後に、ライン保持クリップ９０は接着剤などの固定手段により接続ライン１１０に固定される。
【００７２】
ライン保持クリップ９０は、テンプル本体４２Ａおよび補助案内体４４Ａの左側の側面と接触する接触面９２と、その接触面９２から右方に突出する嵌合部９３と、その嵌合部９３から突出して後方に延びるライン側係止片９４とを有し、合成樹脂材料から成形されている。嵌合部９３は、摺動溝４６Ａに嵌合して摺動可能に形成されている。ライン側係止片９４は、閉鎖部４７Ａの右側の側面に形成された保持溝４８Ａに嵌合可能に形成されており、図１７に示すように、摺動溝４６Ａの上下方向の幅とほほ同じ幅を有する。本実施形態のライン保持クリップ９０は、本発明のライン保持部材の一例であり、接触面９２は、本発明の接触面の一例であり、嵌合部９３は、本発明の嵌合部の一例であり、ライン側係止片９４は、本発明の第３の弾性係止片の一例である。
【００７３】
〈画像表示ユニットおよび制御装置の構成〉
画像表示ユニット１００は、可能な限り軽量化されるのが望ましいことから、必要最低限の光学系のみを内蔵する構成であり、その他の光学系は制御装置２００に内蔵されている。本実施形態では、制御装置２００は、３原色の映像信号供給回路、レーザ光源、レーザ駆動回路、３原色のレーザ光の結合光学系などを内蔵している。接続ライン１１０は、結合された３原色のレーザ光を伝送する光ファイバから構成されている。画像表示ユニット１００は、コリメートレンズ、水平走査部、垂直走査部、接眼レンズなどの光学系を内蔵している。画像表示ユニット１００は、図９に示すように、光照射用開口１０３を有し、その開口１０３の近傍に透明のハーフミラー１０４が角度調整可能に取り付けられている。本実施形態の画像表示ユニット１００が内蔵するコリメートレンズ、水平走査部、垂直走査部、接眼レンズなどの光学系が、本発明の画像表示ユニットが内蔵する光学系の一例であり、画像表示ユニット１００が照射するレーザ光が、本発明の画像表示ユニットが発生する画像光の一例である。
【００７４】
画像表示ユニット１００は、接続ライン１１０により伝達されたレーザ光を内蔵の光学系を介してハーフミラー１０４に照射し、ハーフミラー１０４により屈折されたレーザ光が使用者の眼に照射される。使用者は、レーザ光が眼に照射されていない場合は、ハーフミラー１０４を通して眼前の背景を見ることができる。
【００７５】
《動作および作用》
以上説明したように構成された本実施形態の動作および作用について、図１８ないし図２２を参照して説明する。図１８ないし図２１は、画像表示ユニット１００をフレーム１０に取り付ける手順を示す説明図で、フレーム１０を前方から見た図面であり、図２２は、ヨロイ部３０Ａおよび取付具６０を拡大して上方から見た図面である。先ず、使用者は、画像表示ユニット１００を左右両側のヨロイ部３０Ａ、３０Ｂのいずれに取り付けるかを決める必要がある。使用者にとって左右両側のいずれが見易い側かが、使用者個人ごとに異なる。このため、画像表示ユニット１００の取り付ける側に応じて、使用者は、画像表示ユニット１００に対する取付具６０の回動位置を１８０度変化させる必要がある。図１８に示す取付具６０および画像表示ユニット１００の位置関係は、左側のヨロイ部３０Ａに画像表示ユニット１００を取り付けるための位置関係になっている。
【００７６】
右側のヨロイ部３０Ｂに画像表示ユニット１００を取り付ける場合には、使用者は、図１８に示す画像表示ユニット１００に対する取付具６０の回動位置を１８０度変化させる。取付具６０の回動位置を１８０度変化させた場合、画像表示ユニット１００が図１８に示す姿勢から１８０度回転した状態で使用されることから、接続ライン１１０により伝送されるレーザ光が表す映像も、１８０度回転させる必要がある。
【００７７】
本実施形態では、画像表示ユニット１００が左側のヨロイ部３０Ａに取り付けられる場合について以下に説明する。
【００７８】
〈取付具に対する画像表示ユニットの位置調整〉
使用者は、画像表示ユニット１００をフレーム１０からどの程度下方の位置に取り付けるのかを決める必要がある。使用者がフレーム１０より前方のスクリーンや書類を見ることが多く、視線を下方にずらせて画像表示ユニット１００の表示画像を見ることが少ない場合には、画像表示ユニット１００の配置位置は、眼前に広い視界を確保するためにフレーム１０に対して比較的下方の位置に決められる。一方、使用者が画像表示ユニット１００の表示画像を専ら見ることが多く、視線を変更する必要がない場合には、画像表示ユニット１００の配置位置は、眼前に広い視界を確保する必要がないことからフレーム１０に対して近接した位置に決められる。使用者が、画像表示ユニット１００の使用目的に応じて、取付具５３に対する画像表示ユニット１００の上下方向の位置、左右方向の位置および角度位置を調整することができる。具体的には、使用者は、上下摺動体６２の係止溝７２が取付具本体６１のユニット側係止片６８に対して移動するように、画像表示ユニット１００に対して取付具６０を上下に移動させることにより、画像表示ユニット１００の上下方向の位置を調整することができる。使用者は、左右摺動枠６３の両係止溝７８、７９が画像表示ユニット１００に設けられた一対の弾性係止片に対して移動するように、画像表示ユニット１００に対して取付具６０を左右に移動させることにより、画像表示ユニット１００の左右方向の位置を調整することができる。また、使用者は、左右摺動枠６３の嵌合凹部７６および嵌合孔部７７が上下摺動体６２の円形突部７０の外周および回動円形体６４の円形板状部８２の外周に沿って回動するように、画像表示ユニット１００に対して取付具６０を回動させることにより、画像表示ユニット１００の角度位置を調整することができる。
【００７９】
〈画像表示ユニットの取り付け操作〉
使用者は、フレーム１０を装着しない状態で、図１８に示すように、取付ねじ４１Ａの軸線を中心に左側のテンプル部４０Ａを反時計回りに回動させ、延出部材５１Ａをヨロイ部３０Ａから離間させる。使用者は、取付具本体６１の取付孔部６５を延出部材５１Ａの前端部に前方から嵌入する。この嵌入操作により、取付具本体６１のフレーム側係止片６７が延出部材５１Ａの切欠溝５２Ａに嵌合する。フレーム側係止片６７が切欠溝５２Ａに嵌合することにより、延出部材５１Ａに対して取付具６０の前後方向の位置が決められ、取付具６０はフレーム１０に保持される。また、取付具本体６１の後端面が、テンプル本体４２Ａの取付部分４５Ａの垂直当接平面４５Ａ−１に当接し、この当接により、延出部材５１Ａ上における取付具本体６１の後方への移動が規制される。図１９は、画像表示ユニット１００がフレーム１０に取り付けられた状態を示している。
【００８０】
使用者は、画像表示ユニット１００の取り付け状態を確実に保持するために、図１９に示すテンプル部４０Ａの状態から、取付ねじ４１Ａの軸線を中心に時計回り方向にテンプル部４０Ａを回動させ、延出部材５１Ａおよび取付具本体６１をヨロイ部３０Ａに接近させる。図２０は、延出部材５１Ａおよび取付具本体６１がヨロイ部３０Ａに接近した状態を示している。この接近した状態において、ヨロイ部３０Ａの前方部分３１Ａは、取付具本体６１の前端面の前方に突出して位置する。この前方部分３１Ａの突出形状により、取付具本体６１が延出部材５１Ａ上を前方に移動して抜け落ちることが防止される。画像表示ユニット１００は、テンプル部４０Ａの回動という簡単な操作のみで、取付ねじの締め付けなどの特別な作業を必要とすることなく、延出部材５１Ａに確実に保持される。
【００８１】
〈接続ラインの保持操作〉
図２０に示すように、接続ライン１１０に固定されたライン保持クリップ９０は、テンプル部４０Ａから外された状態にある。図２０に示す状態で、使用者は、ライン保持クリップ９０の嵌合部９３およびライン側係止片９４を摺動溝４６Ａに嵌入させ、摺動溝４６Ａに沿って後方に移動させる。ライン側係止片９４が、図１６に示すように、閉鎖部４７Ａの保持溝４８Ａに嵌合することにより、ライン保持クリップ９０がテンプル本体４２Ａに保持される。通常、使用者は、取付具本体６１のフレーム側係止片６７を延出部材５１Ａの切欠溝５２Ａに嵌合させ、取付具６０をフレーム１０に保持した後に、ライン保持クリップ９０をテンプル部４０Ａに取り付ける操作を行う。図２１は、ライン保持クリップ９０をテンプル部４０Ａに保持された状態を示している。
【００８２】
〈フレームの装着操作〉
使用者は、図２１に示すようにライン保持クリップ９０がテンプル部４０Ａに保持された状態のフレーム１０を頭部に装着し、図１に示すように鼻装着部２１Ａ、２１Ｂを鼻の上に装着すると共に、耳装着部分４３Ａ、４３Ｂを耳に装着する。左右両側のテンプル部４０Ａ、４０Ｂの間隔、特に耳装着部分４３Ａ、４３Ｂの間隔は、使用者の頭部の大きさに応じて変化し、通常は、図４に示す自然状態の間隔から広がることになる。この間隔の広がりにより、取付ねじ４１Ａ、４１Ｂの軸線の回りに曲げモーメントが生ずる。取付ねじ４１Ａの軸線の回りには時計回り方向の曲げモーメントがテンプル本体４２Ａに作用する。
【００８３】
図２２は、延出部材５１Ａおよび取付具本体６１がヨロイ部３０Ａに接近した状態において、取付具本体６１とヨロイ部３０Ａおよびテンプル本体４２Ａの取付部分４５Ａとの位置関係を拡大して示している。左右両側のテンプル部４０Ａ、４０Ｂの間隔が広げられると、図２２において、テンプル本体４２Ａの取付部分４５Ａの傾斜当接平面４５Ａ−２が、ヨロイ部３０Ａの後端部分３２Ａの傾斜当接平面３２Ａ−１と係合し、テンプル部４０Ａの時計回り方向の回動が規制され、延出部材５１Ａおよび取付具本体６１が、ヨロイ部３０Ａに対して位置決めされる。取付具本体６１の後方への移動を規制するために、取付具本体６１の後端面が取付部分４５Ａの垂直当接平面４５Ａ−１に係合するものの、取付具本体６１の前端面を含む他の部分は、ヨロイ部３０Ａと接触しない状態でヨロイ部３０Ａに対して位置決めされる。すなわち、傾斜当接平面４５Ａ−２と傾斜当接平面３２Ａ−１とが係合してテンプル部４０Ａの時計回り方向の回動が規制されるまでの間に、取付具本体６１がヨロイ部３０Ａに接触することがないことから、テンプル部４０Ａの時計回り方向の回動に伴い取付ねじ４１Ａの軸線の回りに作用する曲げモーメントにより、延出部材５１Ａが変形することがない。テンプル部４０Ａの時計回り方向の回動が規制された後に、テンプル部４０Ａ、４０Ｂの間隔が更に広げられ、取付部分４５Ａより後方に位置するテンプル本体４２Ａが曲げ変形しても、取付部分４５Ａより前方に位置する延出部分５１Ａはほとんど変形しない。この結果、延出部材５１Ａおよび取付具本体６１は、曲げモーメントの影響を受けることなく、ヨロイ部３０Ａに対して一定の位置関係に維持され、フレーム１０の装着時に、使用者の眼に対する画像表示ユニット１００の配置位置が変化することが抑制される。
【００８４】
また、フロント部２０およびヨロイ部３０Ａは、テンプル部４０Ａの回動操作により生ずる曲げモーメントに対して、テンプル本体４２Ａよりも、変形し難い大きな剛性を有することから、画像表示ユニット１００の配置位置がフロント部２０およびヨロイ部３０Ａの変形により変化することも抑制される。
【００８５】
ライン保持クリップ９０がテンプル本体４２Ａと一体に形成された閉鎖部４７Ａに保持され、取付具６０がテンプル本体４２Ａに固定された延出部材５１Ａに保持されることから、図２１に示す画像表示ユニット１００がフレーム１０に取り付けられた状態において、画像表示ユニット１００と、ライン保持クリップ９０が保持された閉鎖部４７Ａとの間の距離は、テンプル部４０Ａを回動させたとしても変化しない。この結果、テンプル部４０Ａを回動させたときに、過度の張力が接続ライン１１０に加わることはなく、ライン保持クリップ９０が閉鎖部４７Ａから外れて使用者の顔の前に垂れ下がることが確実に防止される。すなわち、取付具６０がフロント部２０またはヨロイ部３０Ａに保持される構成においては、テンプル部４０Ａを回動させたときに、取付具６０が保持された位置と、ライン保持クリップ９０が保持された位置との間の距離が変化することから、過度の張力が接続ライン１１０に加わるおそれがあり、また、ライン保持クリップ９０がテンプル部４０Ａから外れることがあり、フレーム１０の装着性に問題があった。本実施形態では、フレーム１０の装着および取り外しの際に、接続ライン１１０の緩みおよびライン保持クリップ９０の外れなどの支障をきたすことはなく、使用者にとってフレーム１０および画像表示ユニット１００の取扱いが容易となる。
【００８６】
使用者は、フレーム１０を装着したままで、ハーフミラー１０４の角度を調整することにより、画像表示ユニット１００の表示画像が鮮明に見えるように眼に照射されるレーザ光の照射方向を変更することができる。また、使用者は、フレーム１０を装着したままで、取付具６０に対して、画像表示ユニット１００の上下方向の位置および左右方向の位置を微調整することができ、更に画像表示ユニット１００の角度位置を微調整することができる。
【００８７】
〈画像表示ユニットの取り外し操作〉
使用者は、フレーム１０を頭部から外した後に、図２１に示す画像表示ユニット１００の取り付け状態から、画像表示ユニット１００をフレーム１０から取り外すために、テンプル部４０Ａを反時計回り方向に回動させる。このテンプル部４０Ａの回動操作により、取付具６０および延出部材５１Ａはヨロイ部３０Ａから離間する。これにより、取付具本体６１の前端面は、ヨロイ部３０Ａの前方部分３１Ａにより前方への移動が規制された状態から解放され、取付具６０は、延出部材５１Ａ上を前方に移動することが可能になる。テンプル部４０Ａが回動されたときでも、ライン保持クリップ９０は閉鎖部４７Ａに保持された状態のままである。使用者は、ライン保持クリップ９０を前方に軽く摺動させることにより、ライン保持クリップ９０を閉鎖部４７Ａの保持溝４８Ａとの嵌合から解除することができる。この解除状態のままで、使用者が、取付具６０を前方に移動させて延出部材５１Ａから外すと、これに伴って、ライン保持クリップ９０は摺動溝４６Ａの開放部に向かって斜め下方に移動し、摺動溝４６Ａの開放部から、または、ライン保持クリップ９０の嵌合部９３およびライン側係止片９４が摺動溝４６Ａとほぼ同じ幅であることから、開放部に達する前に摺動溝４６Ａから、自然に外れる。また、画像表示ユニット１００は延出部材５１Ａの下方に取り付けられとともに、摺動溝４６Ａはテンプル本体４２Ａの下方に位置していることから、摺動溝４６Ａから外れた接続ライン１１０およびライン保持クリップ９０がテンプル本体４２Ａに引っ掛かることがない。この結果、使用者は、画像表示ユニット１００をフレーム１０から簡単に取り外すことができる。
【００８８】
ライン保持クリップ９０のライン側係止片９４の弾性力が、保持溝４８Ａとの嵌合状態を維持するには充分であるが、接続ライン１１０に過度の張力を与えるまでは強くない場合、使用者は、ライン保持クリップ９０が閉鎖部４７Ａに保持された状態のままで、取付具６０を前方に移動させて延出部材５１Ａから外すと、これに伴って、ライン保持クリップ９０は摺動溝４６Ａの開放部に向かって移動し、摺動溝４６Ａの開放部から、または、開放部に達する前に摺動溝４６Ａから、自然に外れる。
【００８９】
[変形例]
本発明は、本実施形態に限定されることはなく、その趣旨を逸脱しない限り、種々の変更を加えることができる。
（１）本実施形態は、フレーム１０の左右両側の一方に画像表示ユニット１００を取り付ける単眼型の画像表示装置であったが、２つの画像表示ユニットをフレームの左右両側にそれぞれ取り付ける両眼型の画像表示装置であってもよい。
【００９０】
（２）本実施形態は、取付具６０を延出部材５１Ａに対して前方から嵌入する構成であったが、取付具を延出部材に対して左右方向または上下方向から嵌入する構成であってもよい。この変形例では、取付具が嵌入する方向において延出部材から抜けるのを防止するために、係止溝および係止突起を上記嵌入する方向と直交する方向に形成する必要がある。また、本実施形態では、延出部材５１Ａがテンプル部４０Ａの取付部分４５Ａから前方にまっすぐに延びているが、延出部材の先端部分が１８０度屈曲された形状であれば、取付具を後方から嵌入する構成とすることも可能である。
【００９１】
（３）本実施形態では、取付具６０が延出部材５１Ａに保持された状態で、テンプル部４０Ａの回動により、取付具６０がヨロイ部３０Ａに接近したとき、取付具６０はヨロイ部３０Ａと接触しない構成である。この構成に代えて、取付具がヨロイ部に接近したとき、取付具の一部がヨロイ部と係合して押圧される構成であっても良い。この変形例では、取付具を保持する延出部材が、テンプル部４０Ａの回動に伴う曲げモーメントにより変形するおそれはあるが、ヨロイ部はテンプル部および延出部材よりも剛性が大きいことから、延出部材はヨロイ部の形状に従った一定の変形を行い、ヨロイ部に対する延出部材の位置関係は一定に維持され、画像表示ユニットの配置位置が曲げモーメントにより大きく変化することはない。
【００９２】
（４）本実施形態では、画像表示ユニット１００の上下方向の位置、左右方向の位置および角度位置をそれぞれ調整するために、取付具６０が、取付具本体６１と、上下摺動体６２と、左右摺動枠６３と、回動円形体６４とから構成される。画像表示ユニットの左右方向の位置を調整することが必要でなければ、上下摺動体が画像表示ユニットに回動可能に直接に取り付けられる構成であっても良い。
【００９３】
（５）本実施形態では、フロント部２０およびヨロイ部３０Ａ、３０Ｂがテンプル本体４２Ａ、４２Ｂより大きな剛性を有するように、構成材料および断面形状の両者が異なる構成であるが、構成材料および断面形状のいずれか一方が異なる構成であってもよい。
【００９４】
（６）本実施形態では、同じ形状の取付具６０が左右両側の延出部材５１Ａ、５１Ｂに嵌入する構成である。この構成に代えて、左右各側の延出部材に対応して形状が異なる専用の取付具が使用される構成であっても良い。
【符号の説明】
【００９５】
１    網膜走査型ディスプレイ
１０    フレーム
２０    フロント部
３０Ａ、３０Ｂ    ヨロイ部
３１Ａ    ヨロイ部の前方部分
４０Ａ、４０Ｂ    テンプル部
４２Ａ、４２Ｂ    テンプル本体
４４Ａ、４４Ｂ    補助案内体
４５Ａ    テンプル部の取付部分
４６Ａ    摺動溝
４７Ａ    閉鎖部
４８Ａ    保持溝
５０    保持機構
５１Ａ、５１Ｂ    延出部材
５２Ａ    切欠溝
６０    取付具
６５    取付孔部
６６    取付溝
６７    フレーム側係止片
６８    ユニット側係止片
９０    ライン保持クリップ
９２    接触面
９３    嵌合部
９４    ライン側係止片
１００    画像表示ユニット
１１０    接続ライン
【図１】
2010231119.tif 000003
【図２】
2010231119.tif 000004
【図３】
2010231119.tif 000005
【図４】
2010231119.tif 000006
【図５】
2010231119.tif 000007
【図６】
2010231119.tif 000008
【図７】
2010231119.tif 000009
【図８】
2010231119.tif 000010
【図９】
2010231119.tif 000011
【図１０】
2010231119.tif 000012
【図１１】
2010231119.tif 000013
【図１２】
2010231119.tif 000014
【図１３】
2010231119.tif 000015
【図１４】
2010231119.tif 000016
【図１５】
2010231119.tif 000017
【図１６】
2010231119.tif 000018
【図１７】
2010231119.tif 000019
【図１８】
2010231119.tif 000020
【図１９】
2010231119.tif 000021
【図２０】
2010231119.tif 000022
【図２１】
2010231119.tif 000023
【図２２】
2010231119.tif 000024